(57)【特許請求の範囲】
【請求項１】
第１、第２筐体が連結部を介して折り畳み可能に連結された情報端末装置に内蔵される発光装置であって、
発光素子と、
前記発光素子のアノード端子に接続され、前記発光素子の駆動電圧を生成するスイッチングレギュレータと、
前記発光素子のカソード端子に接続され、前記発光素子に流れる電流を制御する電流駆動回路と、
前記電流駆動回路から帰還される前記カソード端子の電圧が所定の電圧に近づくように前記スイッチングレギュレータのスイッチング素子のオンオフを制御する制御回路と、
を備え、前記電流駆動回路と前記制御回路は、別々の半導体チップとして集積化され、
前記発光素子および前記電流駆動回路は、前記発光素子がバックライトとして使用される液晶パネルが搭載された第１筐体に実装され、
前記スイッチングレギュレータおよびその制御回路は、第２筐体に実装され、
前記スイッチングレギュレータと前記発光素子のアノード端子とを接続し前記駆動電圧を供給する第１配線と、前記電流駆動回路と前記制御回路を接続し前記発光素子のカソード端子の電圧を帰還する第２配線が前記連結部を介して前記第１、第２筐体間に敷設されたことを特徴とする発光装置。
【請求項２】
第１、第２筐体が連結部を介して折り畳み可能に連結された情報端末装置であって、
前記第１筐体は、
液晶パネルと、
前記液晶パネルのバックライトとして設けられた発光素子と、
前記発光素子のカソード端子に接続され前記発光素子に流れる電流を制御する電流駆動回路と、を備え、
前記第２筐体は、
電池と、
前記電池の電圧から前記発光素子の駆動電圧を生成し、前記発光素子のアノード端子に供給するスイッチングレギュレータと、
前記電流駆動回路から帰還される前記カソード端子の電圧が所定の電圧に近づくように前記スイッチングレギュレータのスイッチング素子のオンオフを制御する制御回路と、
を備えることを特徴とする情報端末装置。
【発明の詳細な説明】
【技術分野】
【０００１】
本発明は、発光素子を駆動するスイッチングレギュレータの制御回路、電流駆動回路、およびそれらを含む発光装置に関する。
【背景技術】
【０００２】
近年の携帯電話、ＰＤＡ（Ｐｅｒｓｏｎａｌ  Ｄｉｇｉｔａｌ  Ａｓｓｉｓｔａｎｃｅ）等の情報端末は、例えば液晶のバックライトに用いられる発光ダイオード（Ｌｉｇｈｔ  Ｅｍｉｔｔｉｎｇ  Ｄｉｏｄｅ、以下ＬＥＤという）を備えている。これらの情報端末では、Ｌｉイオン電池が多く用いられるが、その出力電圧は通常３．５Ｖ程度であり、満充電時においても４．２Ｖ程度である。一方、ＬＥＤの駆動に必要な電圧は４Ｖ以上であるため、必要に応じてスイッチングレギュレータ等の電源装置を用いて電池電圧を昇圧し、ＬＥＤに供給する必要がある。【０００３】
このようなスイッチングレギュレータにより、ＬＥＤを負荷回路として駆動するためには、ＬＥＤのカソード端子に電流駆動回路を接続して、ＬＥＤに流れる電流を一定に保つように帰還制御を行っている。この帰還制御の方法としては、検出抵抗を接続し、その検出抵抗での降下電圧を一定に保つように帰還を行い、ＬＥＤを駆動する方法がある（特許文献１参照）。また、検出抵抗に変えて、ＬＥＤに所定の電流を流す定電流回路を接続して定電流駆動を行う方法もある（特許文献２参照）。【０００４】
このようにＬＥＤを駆動するためには、スイッチングレギュレータと、そのスイッチング動作を制御するための制御回路と、ＬＥＤのカソード端子に接続される電流駆動回路が必要となる。
【特許文献１】特開２００３−１５２２２４号公報
【特許文献２】特開２００４−２２９２９号公報
【発明の開示】
【発明が解決しようとする課題】
【０００５】
本発明者はこうした状況下、以下の課題を認識するに至った。
携帯電話などの情報端末は、近年、液晶パネルを含む第１筐体と、操作部を含む第２筐体が連結される折り畳み型のものが主流となっている。このような折り畳み型の情報端末に搭載されるＬＥＤを駆動する周辺回路のうち、スイッチングレギュレータの制御回路および電流駆動回路をＬＥＤ駆動回路として一体集積化して構成した場合、ＬＥＤ駆動回路およびその周辺部品は、液晶パネルが搭載される第１筐体側に実装されることになる。【０００６】
ところで、スイッチングレギュレータは、スイッチング素子により電流供給されてエネルギ変換を行うためのインダクタおよび平滑化用のコンデンサが周辺部品として必要とされ、これらの部品はチップ部品として実装される。したがって、第１筐体側の厚みは、これらの周辺部品の高さによって制約を受けるという問題があり、小型化、薄型化が商品の訴求力に関わる情報端末においては、解決すべき重要な課題と考えられる。【０００７】
本発明はこうした課題に鑑みてなされたものであり、その目的は折り畳み式の情報端末に搭載され、薄型化を実現可能なスイッチングレギュレータの制御回路、電流駆動回路および発光装置の提供にある。
【課題を解決するための手段】
【０００８】
本発明のある態様は、発光素子を駆動するスイッチングレギュレータの制御回路に関する。この制御回路は、発光素子のカソード端子に接続された電流駆動回路からカソード端子の電圧が帰還入力される第１帰還入力端子を備え、カソード端子の電圧が所定の電圧に近づくようにスイッチングレギュレータのスイッチング素子のオンオフを制御する。【０００９】
「発光素子」とは、発光ダイオードや有機ＥＬ素子、レーザダイオードなど、電流や電圧により輝度が制御される素子をいう。この態様によれば、スイッチングレギュレータの制御回路に、発光素子のカソード端子の電圧が帰還される第１帰還入力端子を設け、発光素子の電流駆動回路とは別の集積回路として構成することによって、発光素子、スイッチングレギュレータ、電流駆動回路および周辺部品の配置の自由度を高めることができる。【００１０】
制御回路は、発光素子のアノード端子の電圧が帰還される第２帰還入力端子をさらに備えてもよく、アノード端子の電圧が所定のしきい値電圧を超えないようにスイッチング素子のオンオフを制御してもよい。
第２帰還入力端子を設け、アノード端子の電圧をモニタすることによって、第１帰還入力端子と電流駆動回路を接続する配線が断線し、発光素子のカソード端子の電圧をモニタできなくなった場合においても、スイッチングレギュレータから出力される駆動電圧が所定のしきい値電圧以上に上昇するのを防止することができる。【００１１】
本発明の別の態様は、スイッチングレギュレータにより駆動される発光素子のカソード端子に接続され、発光素子に流れる電流を制御する電流駆動回路に関する。この電流駆動回路は、発光素子のカソード端子に接続される定電流回路と、発光素子のカソード端子の電圧を、スイッチングレギュレータの制御回路へと帰還する帰還出力端子を備える。【００１２】
この態様によれば、発光素子の電流駆動回路に、発光素子のカソード端子の電圧を出力する帰還出力端子を設け、スイッチングレギュレータの制御回路とは別の集積回路として構成することによって、発光素子、スイッチングレギュレータ、制御回路および周辺部品の配置の自由度を高めることができる。【００１３】
電流駆動回路は、発光素子が複数のとき、発光素子のカソード端子の電圧のうち最も低い電圧を出力する最小値回路をさらに備え、最小値回路の出力を帰還出力端子から帰還してもよい。
電流駆動回路からスイッチングレギュレータの制御回路へと帰還される電圧を、発光素子のカソード端子の電圧のうち、最も低い電圧を出力することによって、すべての定電流回路を安定に動作させることができる。【００１４】
本発明のさらに別の態様は、発光装置である。この発光装置は、発光素子と、発光素子のアノード端子に接続され、発光素子の駆動電圧を生成するスイッチングレギュレータと、発光素子のカソード端子に接続され発光素子に流れる電流を制御する電流駆動回路と、電流駆動回路から帰還されるカソード端子の電圧が所定の電圧に近づくようにスイッチングレギュレータのスイッチング素子のオンオフを制御する制御回路と、を備える。電流駆動回路と制御回路は、別々の半導体チップとして集積化される。【００１５】
この態様によれば、発光素子、スイッチングレギュレータ、制御回路、電流駆動回路および周辺部品の配置の自由度を高めることができる。【００１６】
上記発光装置は、第１、第２筐体が連結部を介して折り畳み可能に連結された情報端末装置に搭載されてもよい。発光素子および電流駆動回路は、発光素子がバックライトとして使用される液晶パネルが搭載された第１筐体に実装され、スイッチングレギュレータおよびその制御回路は、第２筐体に実装され、スイッチングレギュレータと発光素子のアノード端子とを接続し駆動電圧を供給する第１配線と、電流駆動回路と制御回路を接続し発光素子のカソード端子の電圧を帰還する第２配線と、が連結部を介して第１、第２筐体間に敷設されてもよい。【００１７】
本発明のさらに別の態様は、第１、第２筐体が連結部を介して折り畳み可能に連結された情報端末装置である。この情報端末装置の第１筐体は、液晶パネルと、液晶パネルのバックライトとして設けられた発光素子と、発光素子のカソード端子に接続され発光素子に流れる電流を制御する電流駆動回路と、を備える。第２筐体は、電池と、電池の電圧から発光素子の駆動電圧を生成し、発光素子のアノード端子に供給するスイッチングレギュレータと、電流駆動回路から帰還されるカソード端子の電圧が所定の電圧に近づくようにスイッチングレギュレータのスイッチング素子のオンオフを制御する制御回路と、を備える。【００１８】
この態様によれば、液晶パネル側の第１筐体側には、発光素子と、電流駆動回路が実装され、他の回路部品は第２筐体側に実装されるため、第１筐体の薄型化を実現することができる。【００１９】
なお、以上の構成要素の任意の組合せや本発明の構成要素や表現を方法、装置、システムなどの間で相互に置換したものもまた、本発明の態様として有効である。
【発明の効果】
【００２０】
本発明に係るスイッチングレギュレータの制御回路、電流駆動回路、および発光装置によれば、回路部品の配置の自由度を高めることができる。また、本発明に係る情報端末装置によれば、筐体を小型、薄型化することができる。
【図面の簡単な説明】
【００２１】
【図１】本発明の実施の形態に係る発光装置が搭載される携帯電話装置の外観図である。
【図２】本実施の形態に係る発光装置の構成を示す回路図である。
【符号の説明】
【００２２】
１００  制御回路、  １０４  第１帰還入力端子、  １０６  第２帰還入力端子、  １３０  スイッチングレギュレータ、  ＳＷ１  スイッチング素子、  ２００  電流駆動回路、  ２０８  帰還出力端子、  ２１０  定電流回路、  ２２０  最小値回路、  ３００  発光ダイオード、  ４００  発光装置、  １１００  第１筐体、  １２００  第２筐体、  １３００  連結部、  １４００  液晶パネル、  Ｗ１  第１配線、  Ｗ２  第２配線。
【発明を実施するための最良の形態】
【００２３】
図１は、本発明の実施の形態に係る発光装置が搭載される携帯電話装置１０００の外観図である。この携帯電話装置１０００は、第１筐体１１００および第２筐体１２００を含み、ヒンジ構造の連結部１３００により接続され、折り畳み可能に形成されている。
第１筐体１１００側には液晶パネル１４００が配置されており、第２筐体１２００側には、操作ボタン１５００が配置されている。この携帯電話装置１０００の電力源となるバッテリは、第２筐体１２００の裏面側に設けられている。【００２４】
本実施の形態に係る発光装置は、液晶パネル１４００のバックライトとして用いられる発光ダイオードおよびその周辺回路を含む。
図２は、本実施の形態に係る発光装置４００の構成を示す回路図である。
発光装置４００は、ＲＧＢの３色に対応する発光ダイオード３００Ｒ、３００Ｇ、３００Ｂを備えており、３色が同時点灯することによって白色光となり、液晶パネル１４００のバックライトとして機能する。【００２５】
この発光装置４００は、発光ダイオード３００Ｒ、３００Ｇ、３００Ｂに流れる電流を制御する電流駆動回路２００と、発光ダイオード３００Ｒ、３００Ｇ、３００Ｂに駆動電圧を供給するスイッチングレギュレータ１３０と、スイッチングレギュレータ１３０のスイッチング素子のオンオフを制御する制御回路１００を含む。【００２６】
スイッチングレギュレータ１３０は、バッテリ５００から出力される電池電圧Ｖｂａｔを昇圧し、出力電圧Ｖｏｕｔとして出力する昇圧型のＤＣ／ＤＣコンバータである。このスイッチングレギュレータ１３０は、発光ダイオード３００Ｒ、３００Ｇ、３００Ｂのアノード端子に接続され、出力電圧Ｖｏｕｔを、発光ダイオード３００Ｒ、３００Ｇ、３００Ｂに供給する。【００２７】
スイッチングレギュレータ１３０は、インダクタＬ１、整流ダイオードＤ１、出力コンデンサＣ１、スイッチング素子ＳＷ１を含む。
インダクタＬ１とスイッチング素子ＳＷ１はバッテリ５００と接地電位間に直列に接続されている。スイッチング素子ＳＷ１は、ＭＯＳトランジスタであって、ゲート端子に印加されるパルス幅変調されたスイッチング信号によってそのオンオフが切り替えられる。
インダクタＬ１とスイッチング素子ＳＷ１の接続点には整流ダイオードＤ１のアノード端子が接続されている。この整流ダイオードＤ１のカソード端子と接地電位間には出力コンデンサＣ１が設けられいる。【００２８】
スイッチングレギュレータ１３０において、スイッチング素子ＳＷ１がオンのとき、バッテリ５００から、インダクタＬ１を介してスイッチング素子ＳＷ１へと電流が流れる。スイッチング素子ＳＷ１がオフすると、インダクタＬ１は、スイッチング素子ＳＷ１がオンの期間に流れていた電流を流し続けようとする。この電流は、整流ダイオードＤ１を介して供給され、出力コンデンサＣ１に向かって流れ、出力コンデンサＣ１が充電される。
このように、スイッチング素子ＳＷ１のオンオフを繰り返すことによって、インダクタＬ１と出力コンデンサＣ１の間でエネルギの変換が行われる。その結果、入力電圧である電池電圧Ｖｂａｔが昇圧され、出力コンデンサＣ１によって平滑化された出力電圧Ｖｏｕｔが出力される。【００２９】
発光ダイオード３００Ｒ、３００Ｇ、３００Ｂのカソード端子には、電流駆動回路２００が接続されている。電流駆動回路２００は、定電流回路２１０Ｒ、２１０Ｇ、２１０Ｂおよび最小値回路２２０を含む。【００３０】
定電流回路２１０Ｒ、２１０Ｇ、２１０Ｂは、各ＲＧＢ３つの発光ダイオード３００Ｒ、３００Ｇ、３００Ｂそれぞれのカソード端子に接続されている。定電流回路２１０Ｒ、２１０Ｇ、２１０Ｂは、それぞれ接続される発光ダイオード３００Ｒ、３００Ｇ、３００Ｂに流れる電流を制御する。
最小値回路２２０には、３つの発光ダイオード３００Ｒ、３００Ｇ、３００Ｂのカソード端子の電圧が入力されており、その中で最も低い電圧を出力する。最小値回路２２０の出力である第１帰還電圧Ｖｆｂ１は、帰還出力端子２０８から出力されて、制御回路１００へと帰還される。【００３１】
制御回路１００は、パルス幅変調回路（Ｐｕｌｓｅ  Ｗｉｄｈｔ  Ｍｏｄｕｌａｔｉｏｎ回路、以下ＰＷＭ回路という）１１０、ドライバ回路１２０を含み、スイッチングレギュレータ１３０のスイッチング素子ＳＷ１のオンオフを制御するためのスイッチング信号を生成して、スイッチング信号出力端子１０８から出力する。
第１帰還入力端子１０４には、電流駆動回路２００の帰還出力端子２０８から帰還された第１帰還電圧Ｖｆｂ１が入力され、第２帰還入力端子１０６には、スイッチングレギュレータ１３０の出力電圧Ｖｏｕｔが第２帰還電圧Ｖｆｂ２として入力されている。【００３２】
第１帰還電圧Ｖｆｂ１は、ＰＷＭ回路１１０へと入力されており、ＰＷＭ回路１１０は、第１帰還電圧Ｖｆｂ１にもとづき、周波数が一定でオン期間の変化するパルス幅変調されたＰＷＭ信号Ｖｐｗｍを生成してドライバ回路１２０へと出力する。ＰＷＭ回路１１０は、第１帰還電圧Ｖｆｂ１が所定の基準電圧Ｖｒｅｆに近づくようにＰＷＭ信号Ｖｐｗｍを生成する。ここでは詳述しないが、ＰＷＭ回路１１０は、第１帰還電圧Ｖｆｂ１と基準電圧Ｖｒｅｆの誤差を増幅する演算増幅器と、この演算増幅器の出力Ｖｅｒｒと、発振器から出力される三角波Ｖｏｓｃとを比較する電圧比較器によって構成することができる。電圧比較器からは、Ｖｅｒｒ＞Ｖｏｓｃのときハイレベルが、Ｖｅｒｒ＜Ｖｏｓｃのときローレベルが出力され、電圧Ｖｅｒｒの大きさによってハイレベルの期間、すなわちオン時間が変化するパルス幅変調された信号を得ることができる。【００３３】
定電流回路２１０Ｒ、２１０Ｇ、２１０Ｂの内部には、それぞれ端子２３０Ｒ、２３０Ｇ、２３０Ｂと接地端子２０２Ｒ、２０２Ｇ、２０２Ｂ間の電流経路上に、電流制御用のトランジスタを備えている。トランジスタは、ドレインソース間あるいは、コレクタエミッタ間の電圧が所定の電圧以下になると飽和するため、安定な電流生成を行うことができなくなる。発光ダイオード３００Ｒ、３００Ｇ、３００Ｂのカソード端子の電圧、すなわち第１帰還電圧Ｖｆｂ１の目標値となる基準電圧Ｖｒｅｆは、このトランジスタが飽和せず、定電流回路２１０Ｒ、２１０Ｇ、２１０Ｂが安定に動作可能な電圧範囲のうち、最小の値に設定することが好ましい。
発光ダイオード３００Ｒ、３００Ｇ、３００Ｂのカソード端子の電圧を可能な限り低く設定することにより、スイッチングレギュレータ１３０の出力電圧Ｖｏｕｔを下げることができ、定電流回路２１０Ｒ、２１０Ｇ、２１０Ｂにおける消費電力を低減することができる。【００３４】
ドライバ回路１２０は、ＰＷＭ信号Ｖｐｗｍにもとづき、ハイレベルとローレベルが交互に切り替えられる駆動信号Ｖｄｒｖを生成する。スイッチング素子ＳＷ１のゲート端子には、この駆動信号Ｖｄｒｖが入力され、スイッチング動作が制御される。
第２帰還入力端子１０６に入力された第２帰還電圧Ｖｆｂ２は、ドライバ回路１２０に入力されている。ドライバ回路１２０は、この第２帰還電圧Ｖｆｂ２と所定のしきい値電圧Ｖｔｈを比較し、Ｖｆｂ２＞Ｖｔｈのとき、駆動信号Ｖｄｒｖをローレベルに固定しててスイッチング素子ＳＷ１のスイッチング動作を停止し、スイッチングレギュレータ１３０の昇圧動作を停止する。【００３５】
つぎに、以上のように構成された発光装置４００の携帯電話装置１０００における実装形態について説明する。
図２中、破線１１００で囲まれた領域内の回路素子は、図１の第１筐体１１００に実装されることを示す。同様に、破線１２００で囲まれた領域内の回路素子は、図１の第２筐体１２００に実装されることを示している。また、破線１３００は、図１の連結部１３００に対応しており、２本の配線Ｗ１、Ｗ２によって接続されている。【００３６】
携帯電話装置１０００の液晶パネル１４００は、第１筐体１１００側に設けられているため、そのバックライトとして使用される発光ダイオード３００Ｒ、３００Ｇ、３００Ｂも第１筐体１１００側に実装される。
また、携帯電話装置１０００のバッテリ５００は、第２筐体１２００側に設けられている。そのため、バッテリ５００から出力される電池電圧Ｖｂａｔを昇圧するスイッチングレギュレータ１３０およびその制御回路１００は、第２筐体１２００側に設けることによって、電源ラインの引き回し配線の面積を削減することができる。
スイッチングレギュレータ１３０に含まれるインダクタＬ１や出力コンデンサＣ１としては、高さ、あるいは面積が比較的大きなチップ部品が用いられるが、バッテリ５００が設けられる第２筐体１２００は、ある程度の容積を有しているため、第１筐体１１００側と比べてチップ部品のサイズが問題となることは少ない。【００３７】
本実施の形態に係る発光装置４００では、発光ダイオード３００Ｒ、３００Ｇ、３００Ｂの発光輝度を制御する電流駆動回路２００を第１筐体１１００側に設けている。発光ダイオード３００Ｒ、３００Ｇ、３００Ｂのカソード端子と、電流駆動回路２００は３つの配線によって接続されるが、これらの配線はすべて第１筐体１１００内部に敷設されるため、配線の引き回しは最小限とすることができる。【００３８】
スイッチングレギュレータ１３０と、発光ダイオード３００Ｒ、３００Ｇ、３００Ｂのアノード端子を接続する第１配線Ｗ１は、第１筐体１１００と第２筐体１２００間に、連結部１３００を介して敷設されることになる。この第１配線Ｗ１によって供給されるスイッチングレギュレータ１３０の出力電圧Ｖｏｕｔによって発光ダイオード３００は駆動される。
また、電流駆動回路２００の帰還出力端子２０８と、制御回路１００の第１帰還入力端子１０４を接続する第２配線Ｗ２も同様に、第１筐体１１００と第２筐体１２００間に、連結部１３００を介して敷設される。【００３９】
また、本実施の形態に係る発光装置４００においては、制御回路１００は、スイッチングレギュレータ１３０の出力電圧Ｖｏｕｔをモニタしてスイッチング信号を生成する。そのために、スイッチングレギュレータ１３０の出力から制御回路１００の第２帰還入力端子１０６を接続する第３配線Ｗ３が設けられるが、この第３配線は第２筐体１２００内部に敷設される。【００４０】
以上のように実装した本実施の形態に係る発光装置４００によれば、制御回路１００と電流駆動回路２００を別々の集積回路として構成することによって、配置の自由度を高めることができ、さらに次のような効果を得ることができる。【００４１】
本実施の形態に係る発光装置４００では、ＬＳＩの外部に外付け部品として構成されるスイッチングレギュレータ１３０のスイッチング素子ＳＷ１、インダクタＬ１、整流ダイオードＤ１、インダクタＬ１を、第２筐体１２００側に実装する。これらの外付け部品の高さは、半導体集積回路よりも厚い場合が多いため、第１筐体１１００の厚みを薄型化することができる。第２筐体１２００側には、バッテリ５００をはじめとして、もともと厚みのある部品が設けられるため、スイッチング素子ＳＷ１等を第２筐体１２００側に実装することによる第２筐体１２００の厚みの増加はほとんど発生しない。
その結果、携帯電話装置１０００全体としては薄型化、小型化を実現することができる。【００４２】
また、本実施の形態に係る発光装置４００では、ヒンジ構造を有する連結部１３００に敷設される配線は、第１配線Ｗ１および第２配線Ｗ２の２本とすることができる。
もし、制御回路１００および電流駆動回路２００を一体集積化して１つの集積回路として構成した場合、第１筐体１１００を小型、薄型化しようとすれば制御回路１００、電流駆動回路２００、スイッチングレギュレータ１３０はいずれも第２筐体１２００側に実装することになる。しかしながら、この場合には、複数の発光ダイオード３００Ｒ、３００Ｇ、３００Ｂのカソード端子から電流駆動回路２００の端子２３０Ｒ、２３０Ｇ、２３０Ｂを接続する３本の配線が連結部１３００を跨いで敷設されることになる。これに、スイッチングレギュレータ１３０と発光ダイオード３００Ｒ、３００Ｇ、３００Ｂのアノード端子を接続する第１配線Ｗ１が加わるため、少なくとも４本の配線が連結部１３００の内部に敷設されることになる。【００４３】
連結部１３００を介して第１筐体１１００、第２筐体１２００を接続する配線数が増加すると、配線が形成される面積が増大するため、携帯電話装置１０００の小型化を妨げる一因となる。したがって、連結部１３００内部を通す配線は最小限とすることが望ましい。本実施の形態に係る発光装置４００では、この配線を第１配線Ｗ１、第２配線Ｗ２の２本と最小限に抑えることができるため、筐体の面積の増加も最小限に抑えることができる。【００４４】
さらに、連結部１３００内部に敷設される配線はＦＰＣ（Ｆｌｅｘｉｂｌｅ  Ｐｒｉｎｎｔｅｄ  Ｃｉｒｃｕｉｔ）などによって形成されるため、その強度はＰＣＢ（Ｐｒｉｎｔｅｄ  Ｃｉｒｃｕｉｔ  Ｂｏａｒｄ）上に敷設される配線に比べて劣る。
したがって、連結部１３００内部を通す配線は最小限とすることが望ましく、本実施の形態に係る発光装置４００では、この配線を第１配線Ｗ１、第２配線Ｗ２の２本と最小限に抑えることができるため信頼性への影響も抑えることができる。【００４５】
また、本実施の形態に係る発光装置４００においては、スイッチングレギュレータ１３０の出力電圧Ｖｏｕｔを制御回路１００の第２帰還入力端子１０６へと帰還する第３配線Ｗ３が第２筐体１２００の内部に敷設される。
もし、連結部１３００内部に敷設される第２配線Ｗ２が断線した場合、制御回路１００には第１帰還電圧Ｖｆｂ１として０Ｖが帰還されることになる。このとき、制御回路１００は、この第１帰還電圧Ｖｆｂ１を所定の基準電圧Ｖｒｅｆに近づくようにスイッチング素子ＳＷ１のオンオフを制御しようとするため、出力電圧Ｖｏｕｔは、発光ダイオード３００Ｒ、３００Ｇ、３００Ｂの駆動に必要な電圧を超えて、さらに上昇して装置全体の信頼性に影響を及ぼすおそれがある。【００４６】
本実施の形態に係る発光装置４００においては、第３配線Ｗ３は第２筐体１２００内部にのみ敷設されるため、断線のおそれは低い。制御回路１００は、この第３配線Ｗ３により帰還される出力電圧Ｖｏｕｔが所定のしきい値Ｖｔｈを超えないようにスイッチング素子ＳＷ１のスイッチング動作を制御するため、第２配線Ｗ２が断線した場合においても、出力電圧Ｖｏｕｔが上昇するのを防止することができ、携帯電話装置１０００の信頼性を高めることができる。【００４７】
また、本実施の形態に係る発光装置４００では、発光ダイオード３００Ｒ、３００Ｇ、３００Ｂのカソード端子の電圧を帰還し、この値が所定の基準電圧Ｖｒｅｆに近づくように制御を行う。この基準電圧Ｖｒｅｆを、定電流回路２１０Ｒ、２１０Ｇ、２１０Ｂを動作させるために必要な最低限度の電圧値に設定することにより、スイッチングレギュレータ１３０により生成される出力電圧Ｖｏｕｔを最小とすることができ、高効率化を実現することができる。【００４８】
上記実施の形態は例示であり、それらの各構成要素や各処理プロセスの組合せにいろいろな変形例が可能なこと、またそうした変形例も本発明の範囲にあることは当業者に理解されるところである。【００４９】
本実施の形態において、制御回路１００は、スイッチング素子ＳＷ１が一体集積化されて構成されてもよく、さらにその他の回路素子が含まれていてもよい。どの部分を集積化するかは、コストや占有面積などによって決めればよい。【００５０】
本実施の形態では、情報端末装置として携帯電話装置１０００を例に説明を行ったがＰＤＡや第２世代コードレス電話システムなど液晶のバックライトを必要とする折り畳み型の情報端末装置に広く適用することができる。
【産業上の利用可能性】
【００５１】
本発明に係るスイッチングレギュレータの制御回路、電流駆動回路、および発光装置は、小型化が要求される情報端末装置に利用することができる。
【図１】
0004564017.tif 000002
【図２】
0004564017.tif 000003